(57)【要約】【課題】検査時の残留電荷の発生を防止すると共に、タクト管理を可能にする。【解決手段】  電気光学装置に表示した検査画像を投影面に投影する投影検査部１２と、前記電気光学装置に検査信号を供給する信号発生部１３と、制御部１１とを具備する電気光学装置の検査装置であって、前記投影検査部１２は、前記電気光学装置に前記検査信号を供給するプローブ３０と、前記プローブを移動させて前記プローブと前記電気光学装置の電極端子との電気的な接続を制御するプローブ動作機構部３３と、を有し、前記制御部１１は、前記信号発生部を制御して前記検査信号を発生させると共に、検査終了時には前記信号発生部を制御してリセット信号を発生させ前記リセット信号を前記電気光学装置に供給させた後、前記プローブ動作機構部を制御して前記プローブと前記電気光学装置の電極端子との電気的な接続を切断させることを特徴とする。【選択図】図１
2008209564.tif 000002
【特許請求の範囲】
【請求項１】
電気光学装置に表示した検査画像を投影面に投影する投影検査部と、前記電気光学装置に検査信号を供給する信号発生部と、制御部とを具備する電気光学装置の検査装置であって、
前記投影検査部は、前記電気光学装置に前記検査信号を供給するプローブと、前記プローブを移動させて前記プローブと前記電気光学装置の電極端子との電気的な接続を制御するプローブ動作機構部と、を有し、
前記制御部は、前記信号発生部を制御して前記検査信号を発生させると共に、検査終了時には前記信号発生部を制御してリセット信号を発生させ前記リセット信号を前記電気光学装置に供給させた後、前記プローブ動作機構部を制御して前記プローブと前記電気光学装置の電極端子との電気的な接続を切断させることを特徴とする電気光学装置の検査装置。
【請求項２】
前記プローブ動作機構部は、前記電気光学装置の電極端子と前記プローブとが電気的に接続されたことを示す状態検出信号を前記制御部に出力することを特徴とする請求項１に記載の電気光学装置の検査装置。
【請求項３】
前記投影検査部は、さらにステージ上に配置された前記電気光学装置を搬送するステージ動作機構部を具備し、
前記制御部は、前記ステージ動作機構部によって前記電気光学装置が検査位置まで搬送されると、前記プローブ動作機構部を制御して前記プローブと前記電気光学装置の電極端子とを電気的に接続させることを特徴とする請求項１又は２に記載の電気光学装置の検査装置。
【請求項４】
電気光学装置に表示された検査画像を投影面に投影する投影検査部の検査位置に前記電気光学装置を搬送する手順と、
プローブ動作機構部を制御して前記電気光学装置の電極端子とプローブとを電気的に接続させる手順と、
信号発生部を制御して検査信号を発生させ、発生した検査信号を前記プローブを介して前記電気光学装置に供給する手順と、
検査終了後に、前記信号発生部を制御してリセット信号を発生させて、前記プローブを介して前記電気光学装置に供給する手段と、
前記プローブ動作機構部を制御して前記電気光学装置の電極端子と前記プローブとの電気的な接続を切断させる手順と、
を具備したことを特徴とする電気光学装置の検査方法。
【発明の詳細な説明】
【技術分野】
【０００１】
本発明は、電気光学装置の完成品に対する検査に好適な電気光学装置の検査装置及び検査方法に関する。
【背景技術】
【０００２】
従来より、液晶装置等の表示装置は、携帯電話、プロジェクタ等の機器に広く使用されている。ＴＦＴ（Thin Film Transistor）等を用いた液晶表示装置は、ＴＦＴ基板と対向基板とを貼り合わせて、両基板間に液晶を封入して構成されている。一般に、製造された液晶装置が正常に作動するか否かの検査は、完成品に対して行われる。例えば、所定の画像信号を液晶装置に表示データとして入力し、投影、表示等させることによって、正しくデータが表示されるか、欠陥画素の有無のチェックが行われている。
【０００３】
この種の検査を行うための検査装置として、例えば本件出願人による特許文献１には、液晶パネルを水平に配置し、ランプから出射された検査光を鉛直方向上方に導き、水平に保持された液晶パネルを透過させて筐体上部のスクリーンに投影する技術が開示されている。
【０００４】
特許文献１の提案では、筐体内に搬入した液晶表示装置の電極パッドに検査用プローブを接触させ、外部の検査信号発生器からの信号を検査用プローブを介して液晶表示装置に供給することによって、液晶表示装置の検査を行うようになっている。
【０００５】
即ち、作業者は、検査対象の液晶表示装置と検査用プローブとの接続が完了すると、検査信号発生器を操作して、順次検査信号を発生させる。全ての検査が終了すると、作業者は、検査信号発生器を停止させ、検査用プローブを液晶表示装置の電極パッドから離間させて、液晶表示装置を筐体の外に搬出させる。
【特許文献１】特開２００６−１７１０６５号公報
【発明の開示】
【発明が解決しようとする課題】
【０００６】
ところで、検査終了後において液晶表示装置の電極パッドに残留する電荷によって、液晶表示装置に焼き付き現象等の不具合が生じることがある。そこで、検査信号発生器は、一連の検査の最後の検査信号の出力終了直後に、電極パッドを０Ｖ電位にするためのリセット信号を発生するようになっている。作業者は、このリセット信号の発生後に、電極パッドから検査用プローブを離間させるための操作を行う。
【０００７】
ところが、作業者による、検査用プローブを電極パッドから離間させるための操作及び検査信号発生器の操作の操作タイミングによっては、リセット信号によって電極パッドが０Ｖ電位に固定される前に検査用プローブが電極パッドから離間されてしまうことがあるという問題点があった。
【０００８】
また、一連の検査の各ステップの指定及び検査用プローブの駆動操作をタクト管理することができないという問題点もあった。
【０００９】
本発明は、検査終了時に電極パッドの電位を確実に０Ｖにすると共に、タクト管理を可能にすることができる電気光学装置の検査装置及び検査方法を提供することを目的とする。
【課題を解決するための手段】
【００１０】
本発明に係る電気光学装置の検査装置は、電気光学装置に表示した検査画像を投影面に投影する投影検査部と、前記電気光学装置に検査信号を供給する信号発生部と、制御部とを具備する電気光学装置の検査装置であって、前記投影検査部は、前記電気光学装置に前記検査信号を供給するプローブと、前記プローブを移動させて前記プローブと前記電気光学装置の電極端子との電気的な接続を制御するプローブ動作機構部と、を有し、前記制御部は、前記信号発生部を制御して前記検査信号を発生させると共に、検査終了時には前記信号発生部を制御してリセット信号を発生させ前記リセット信号を前記電気光学装置に供給させた後、前記プローブ動作機構部を制御して前記プローブと前記電気光学装置の電極端子との電気的な接続を切断させることを特徴とする。
【００１１】
このような構成によれば、投影検査部内の検査位置に電気光学装置が配置されると、プローブ動作機構部によってプローブが移動されて、プローブから電気光学装置への検査信号の供給が可能となる。制御部は、信号発生部を制御して検査信号を発生させる。この検査信号は、プローブを介して電気光学装置に供給される。こうして、電気光学装置から検査信号に応じた光学像が出射され、投影面に投影されて、電気光学装置の検査が行われる。検査が終了すると、制御部は、信号発生部を制御してリセット信号を発生させて、プローブを介して電気光学装置に供給する。これにより、検査による電荷が電気光学装置に残留することを防止することができる。制御部は、リセット信号の電気光学装置への供給後に、プローブ動作機構部を制御してプローブと電気光学装置との電気的な接続を切断させる。これにより、電気光学装置への電荷の残留は確実に防止され、電気光学装置の焼き付き等の不具合の発生を防止することができる。また、これらの一連の工程は、制御部によって制御されており、タスク管理が可能となる。
【００１２】
また、前記プローブ動作機構部は、前記電気光学装置の電極端子と前記プローブとが電気的に接続されたことを示す状態検出信号を前記制御部に出力することを特徴とする。
【００１３】
このような構成によれば、状態検出信号によってプローブと電気光学装置との電気的な接続の状態を把握することができ、制御部によって各工程の確実な制御が可能となる。
【００１４】
また、本発明の一態様に係る電気光学装置の検査装置は、前記投影検査部が、さらにステージ上に配置された前記電気光学装置を搬送するステージ動作機構部を具備し、前記制御部は、前記ステージ動作機構部によって前記電気光学装置が検査位置まで搬送されると、前記プローブ動作機構部を制御して前記プローブと前記電気光学装置の電極端子とを電気的に接続させることを特徴とする。
【００１５】
このような構成によれば、ステージ動作機構部によって、電気光学装置が投影検査部内の検査位置まで搬送されると、プローブと電気光学装置との電気的な接続が行われるようになっており、電気光学装置の搬入以降の各工程のタスク管理が可能である。
【００１６】
また、本発明に係る電気光学装置の検査方法は、電気光学装置に表示された検査画像を投影面に投影する投影検査部の検査位置に前記電気光学装置を搬送する手順と、プローブ動作機構部を制御して前記電気光学装置の電極端子とプローブとを電気的に接続させる手順と、信号発生部を制御して検査信号を発生させ、発生した検査信号を前記プローブを介して前記電気光学装置に供給する手順と、検査終了後に、前記信号発生部を制御してリセット信号を発生させて、前記プローブを介して前記電気光学装置に供給する手段と、前記プローブ動作機構部を制御して前記電気光学装置の電極端子と前記プローブとの電気的な接続を切断させる手順と、を具備したことを特徴とする。
【００１７】
このような構成によれば、投影検査部内の検査位置に電気光学装置が配置されると、プローブ動作機構部によって電気光学装置に検査信号の供給が可能となる位置までプローブが移動される。次に、信号発生部によって検査信号が発生し、発生した検査信号はプローブを介して電気光学装置に供給される。電気光学装置の検査が終了すると、信号発生部によってリセット信号が発生し、プローブを介して電気光学装置に供給される。これにより、電気光学装置に電荷が残留することが防止される。電気光学装置から電荷が除去された後、プローブ動作機構部によってプローブが移動されて、プローブと電気光学装置との電気的な接続が切断される。こうして、電気光学装置に焼き付き等が生じることを防止することができると共に、タスク管理が可能となる。
【発明を実施するための最良の形態】
【００１８】
以下、図面を参照して本発明の実施の形態について詳細に説明する。
【００１９】
図１は本発明の一実施の形態に係る電気光学装置の検査装置のブロック図である。
【００２０】
制御部１１は電気光学装置に対する検査のタクト管理を行う。投影検査部は検査対象の電気光学装置が搬入され、制御部１１に制御されて、電気光学装置の表示検査を実施する。投影検査部の表示検査に用いる検査信号は信号発生部１３によって発生するようになっている。信号発生部１３は制御部１１に制御されて、表示検査の各ステップの検査信号を投影検査部１２に順次出力する。
【００２１】
本実施の形態では、電気光学装置として、モジュール化された液晶パネル、すなわち、フレキシブルプリント基板（以下、ＦＰＣ）１００-1等が取り付けられ防塵ガラス（図示せず）等とともにケース内に収容された液晶パネル１００について、表示欠陥（点欠陥・線欠陥・シミムラ欠陥等）を検査する検査装置の一例について説明する。
【００２２】
図２は図１中の投影検査部１２の具体的な構成を示す概略構成図である。
【００２３】
投影検査部１２は、検査画像を鉛直方向に液晶パネル１００を透過させそのまま鉛直方向に投射レンズ１８などの光学部材を通してスクリーン１７に投射するための検査光路を構成する検査光学系５と、液晶パネル１００を所定の検査パターンで駆動した際のスクリーン１７上の輝度分布を撮像する視野角度を有した撮影カメラであるＣＣＤカメラ６と、検査光路上に液晶パネル１００を水平に保持するステージ７と、検査光路上に保持された液晶パネル１００に所定の検査画像を表示するための検査信号を伝達するプローブユニット８と、検査光路上に任意のフィルタ手段を選択的に挿入して保持するフィルタ挿脱機構部９と、検査光路上に保持された液晶パネル１００を加熱或いは冷却して液晶パネル１００の温度調節を行う温度調節装置１０と、筐体２の上部にその位置を上下に調整可能に配置された投影面であるスクリーン１７と、ＣＣＤカメラ６のレンズ表面に付着する異物をエアーで吹き飛ばすエアーブロー６１、及びその吹き飛ばされた異物をエアーと共に吸引する吸引部６２と、投射レンズ１８のレンズ表面に付着する異物をエアーで吹き飛ばすエアーブロー８１、及びその吹き飛ばされた異物をエアーと共に吸引する吸引部８２と、を筐体２内に有して要部が構成されている。更に、筐体２内には、ＣＣＤカメラ６のレンズ表面、及び、投射レンズ１８のレンズ表面の静電気を除去する静電気除去手段であるイオナイザ（図示せず）を備えていてもよい。
【００２４】
検査光学系５は、筐体２の下部で白色光等の検査光を鉛直方向上方に出射する光源であるランプ１５と、検査対象となる液晶パネル１００が搭載される実機と同等の特性の検査光を生成するための光学設計部１６と、ランプ１５から光学設計部１６を経て出射された検査光がステージ７に水平に保持された液晶パネル１００をそのまま鉛直方向に透過して筐体２の上部のスクリーン１７に投影するように、鉛直方向の検査光路上に介装されて検査光の焦点距離を調整する光学部材としての投射レンズ１８と、を有して構成され、ランプ１５から出射された検査光が光学設計部１６を通して液晶パネル１００を鉛直方向に透過し投射レンズ１８で投射されて、方向を変えずに鉛直方向に筐体２の上部に配置されたスクリーン１７に投影されるようになっている。
【００２５】
光学設計部１６は、プロジェクタ用の光学系に対応して設計されており、第１のマルチレンズ５０と、検査光の光量を調節する光量調節フィルタとしてのＮＤ（ｎｅｕｔｒａｌ  ｄｅｎｓｉｔｙ）フィルタ５１と、紫外線フィルタ５２と、第２のマルチレンズ５３と、ＰＢＳ（Ｐｏｌａｒｚｅｄ  Ｂｅａｍ  Ｓｐｌｉｔｔｅｒ）ユニット５４と、コンデンサレンズ（集光レンズ）５５と、緑、赤、青等の所定の波長領域の検査光を透過する色フィルタ５６とを有して構成されている。
【００２６】
ステージ７は、ステージ動作機構部２５（後述する）を介して筐体２内に水平に支持される矩形の板状部材で構成され、ステージ７の上面には検査対象となる液晶パネル１００を載置するための凹部２０が形成されている。
【００２７】
液晶パネル１００は、例えば、０．５〜１．４インチの範囲の各種の大きさであってもよく、スクリーン１７は、例えば３５インチ程度の大きさである。
【００２８】
また、投射レンズ１８も交換可能とされ、液晶パネル１００の大きさに応じて焦点距離の違う投射レンズ１８を使用可能である。
【００２９】
この場合、凹部２０は、液晶パネル１００の外観形状に略沿う形状をなし、さらに、図示しないピン等の位置決め部材を要部に有することにより、載置された液晶パネル１００を所定の位置に位置決めした状態で水平に保持するようになっている。ステージ７は、液晶パネル１００のサイズに応じた凹部２０が形成されたものを交換して使用したり、或いは所定サイズの凹部２０にアダプタを用いて各種サイズの液晶パネルを載置するようにしてもよい。
【００３０】
また、ステージ７には、凹部２０に載置された液晶パネル１００の表示部（図示せず）に検査光を導くための開口部２１が開口されている。
【００３１】
また、ステージ７の基部には、当該ステージ７をステージ動作機構部２５に着脱自在に装着するためのフランジ部２３が設けられている。
【００３２】
ステージ動作機構部２５は、駆動制御部２２によって動作が制御される。ステージ動作機構部２５は、筐体２内に水平に固設されたエアシリンダ２６を有して構成されている。エアシリンダ２６には、図示しない空気圧制御装置が接続されており、この空気圧制御装置から供給される作動空気圧によって、エアシリンダ２６のピストンロッド２７が筐体２内を水平方向に伸縮移動するようになっている。また、ピストンロッド２７の先端には、ステージ装着部２８が固設されており、このステージ装着部２８に、前記フランジ部２３を介してステージ７が装脱自在に締結固定されている。
【００３３】
駆動制御部２２は、制御部１１からの駆動制御信号に基づいて、空気圧制御装置を制御し、ステージ動作機構部２５のピストンロッド２７の伸縮移動を制御する。即ち、駆動制御部２２によって、ステージ７の水平方向の移動が制御される。
【００３４】
ステージ７は、図２に実線で示すように、ピストンロッド２７が収縮位置にあるとき、光学設計部１６と投射レンズ１８との間に挿入されて液晶パネル１００の表示部を検査光路上に保持し、一方で、図２に２点鎖線で示すように、ピストンロッド２７が伸長位置にあるとき液晶パネル１００の表示部を検査光路から退避させるよう、各部の諸元が設定されている。なお、図示のように、検査開始前や検査終了後等におけるピストンロッド２７の伸長時には、ステージ７が筐体２に設けられた開閉窓２９を押し開けることで、液晶パネル１００が筐体２の外部に露呈されて交換可能または取外し可能となる。
【００３５】
プローブユニット８は、プローブ動作機構部３３（後述する）を介して筐体２内に支持されるもので、液晶パネル１００のＦＰＣ１００-1上に配列された各電極端子（図示せず）に対応して電気的に接続可能な複数のプローブ３０を有して構成されている。
【００３６】
そして、プローブユニット８は、各プローブ３０がＦＰＣ１００-1上の各電極端子と電気的に接続された際に、信号発生部１３で生成された所定の検査信号を液晶パネル１００に伝達するようになっている。
【００３７】
信号発生部１３には、検査信号を伝送するためのフラットケーブル３９が取り付けられており、フラットケーブル３９の端部のコネクタ３８は、筐体２に設けられたコネクタ受け３７に接続可能である。コネクタ受け３７はインターフェースボード３２に取り付けられており、インターフェースボード３２とプローブユニット８とは信号線３１によって接続されている。コネクタ３８をコネクタ受け３７に接続することで、信号発生部１３によって発生させた検査信号をプローブユニット８の各プローブ３０に供給可能である。
【００３８】
プローブ動作機構部３３は、駆動制御部２２によって動作が制御される。プローブ動作機構部３３は、筐体２内に垂直に固設されたエアシリンダ３４を有して構成されている。エアシリンダ３４には、図示しない空気圧制御装置が接続されており、この空気圧制御装置から供給される作動空気圧によって、エアシリンダ３４のピストンロッド３５が筐体２内を垂直方向に伸縮移動するようになっている。また、ピストンロッド３５の先端には、プローブユニット装着部３６が固設されており、このプローブユニット装着部３６に、プローブユニット８が装脱自在に締結固定されている。
【００３９】
駆動制御部２２は、制御部１１からの駆動制御信号に基づいて、空気圧制御装置を制御し、プローブ動作機構部３３のピストンロッド３５の伸縮移動を制御する。即ち、駆動制御部２２によって、プローブユニット８の鉛直方向の移動が制御されて、各プローブ３０とＦＰＣ１００-1上の各電極端子とが接触又は非接触状態となる。
【００４０】
なお、プローブユニット８は、各プローブ３０が検査光路上に保持された液晶パネル１００のＦＰＣ１００-1上の各電極端子に夫々対向され、且つ、ピストンロッド３５が伸長位置（下降位置）にあるときＦＰＣ１００-1上の各電極端子に各プローブ３０が電気的に接続されるとともに（図２参照）、ピストンロッド３５が収縮位置（上昇位置）にあるときＦＰＣ１００-1上の各電極端子から各プローブ３０が離間されるよう（図示せず）、各部の諸元が設定されている。
【００４１】
本実施の形態においては、上述したように、ステージ７の水平方向の移動及び各プローブ３０の上下動は、駆動制御部２２によって制御されるようになっている。また、駆動制御部２２はプローブ３０がＦＰＣ１００-1上の各電極端子に接触する状態までプローブユニット８を降下させているか、又は、非接触状態となるようにプローブユニット８を上昇させているかの状態を示す状態検出信号を外部に出力することができるようになっている。
【００４２】
フィルタ挿脱機構部９は、駆動制御部２２によって駆動が制御される。フィルタ挿脱機構部９は、例えば投射レンズ１８の鉛直方向の光軸と一致する検査光路上に任意のフィルタ部４０を選択的に挿入して保持するためのもので、検査光路に平行となるよう筐体２内に立設された軸部４１と、軸部４１に夫々回動自在に軸支された複数（本実施の形態では４枚）のトレイ４２とを有して構成されている。
【００４３】
各トレイ４２の上面にはフィルタ部４０を載置して保持するための凹部４３が設けられ、さらに各凹部４３の底部には、各凹部４３に夫々載置されたフィルタ部４０に検査光を導くための開口部４４が設けられている。
【００４４】
フィルタ挿脱機構部９は、通常時には、各トレイ４２を検査光路からの退避位置に保持するようになっており、作業者等によって所定のトレイ４２が選択されて退避位置から所定の回動角だけ回動されることにより、当該トレイに保持したフィルタ部４０を検査光路に露呈するようになっている。
【００４５】
各トレイ４２には、フィルタ部４０として、例えば、液晶パネル１００を通過後の検査光のコントラストを強調するコントラスト強調フィルタとしての視角補償フィルタや、緑（Ｇ），青（Ｂ），赤（Ｒ）等の所定の波長領域の検査光を透過する色フィルタ、光量調節フィルタとしてのＮＤ（Neutral Density）フィルタ等が載置される。ここで、各フィルタ部４０は、検査対象である液晶パネル１００を実際に搭載する液晶装置の各種フィルタと同等の光学特性を有することが望ましい。
【００４６】
温度調節装置１０は、検査光路上に保持された液晶パネル１００に温風或いは冷風を送風することにより液晶パネル１００の温度調節を行うもので、ブロア装置４５と、このブロア装置４５の駆動制御を行う制御部（図示せず）と、液晶パネル１００の近傍でステージ７に埋設された温度センサ（図示せず）とを有して構成されている。図示しない制御部には温度設定等を行うための図示しないコントロールパネルが設けられており、制御部は、温度センサからの検出温度に基づいて、ブロア装置４５から送風する温風或いは冷風の風量及びその温度をフィードバック制御することで、液晶パネル１００を所望の設定温度に制御するようになっている。
【００４７】
ＣＣＤカメラ６のレンズ表面に付着する異物をエアーで吹き飛ばし且つ吸引するエアーブロー６１及び吸引部６２については、エアーが工場エアー供給機構（図示せず）からチューブ（図示略）で筐体２内のエアーブロー６１に導入され、吸引部６２に接続したチューブ（図示略）にて筐体２外の工場エアー吸引機構（図示せず）に導出される。同様に、投射レンズ１８のレンズ表面に付着する異物を吹き飛ばし且つ吸引するエアーブロー８１及び吸引部８２についても、エアーが工場エアー供給機構（図示せず）からチューブ（図示略）で筐体２内のエアーブロー８１に導入され、吸引部８２に接続したチューブ（図示略）にて筐体２外の吸引機構（図示せず）に導出されている。使用するクリーニング用のエアーとしては、空気のほかに窒素Ｎ2を用いてもよい。
【００４８】
信号発生部１３は、各種検査パターンが夫々記憶された図示しない複数のメモリを有している。信号発生部１３は、制御部１１に制御されて、各メモリに格納された検査パターンを読み出して、検査信号として出力する。
【００４９】
制御部１１は、投影検査部１２及び信号発生部１３を制御する。制御部１１は図示しない入力操作部を有しており、入力操作部の操作に応じて、投影検査部１２及び信号発生部１３を制御することができる。制御部１１は、投影検査部１２の駆動制御部２２に駆動制御信号を出力して、ステージ７の水平移動を制御すると共に、ステージ７が筐体２内に収納されて、液晶パネル１００が検査位置に配置されると、駆動制御信号によってプローブユニット８を下方に移動させて、各プローブ３０をＦＰＣ１００-1上の各電極端子に接触させるようになっている。
【００５０】
また、制御部１１には、駆動制御部２２から状態検出信号が供給される。制御部１１は、状態検出信号によって、各プローブ３０をＦＰＣ１００-1上の各電極端子に接触させるようにプローブユニット８を下方に移動させたことが示されると、信号発生部１３に検査信号を発生させる。制御部１１は、検査の各ステップを信号発生部１３に指示して、信号発生部１３から検査の各ステップに応じた検査パターンの検査信号を順次出力させる。
【００５１】
制御部１１は検査の全ステップが終了すると、信号発生部１３からリセット信号を発生させる。制御部１１は信号発生部１３にリセット信号を発生させた後、駆動制御信号を投影検査部１２の駆動制御部２２に出力して、プローブユニット８を上昇させて、各プローブ３０をＦＰＣ１００-1上の各電極端子から離間させるようになっている。
【００５２】
ここで、電気光学装置の一例である駆動回路内蔵型のＴＦＴアクティブマトリクス駆動方式の液晶パネルについて説明する。
【００５３】
図３は、液晶パネルを示すもので、素子基板をその上に形成された各構成要素と共に対向基板の側から見た平面図であり、図４は図３のＨ−Ｈ’断面図である。
【００５４】
図３及び図４において、本実施の形態に係る液晶パネルでは、ＴＦＴが形成された素子基板１１０と対向基板１２０とが対向配置されている。
【００５５】
素子基板１１０と対向基板１２０との間に液晶層１５０が封入されており、素子基板１１０と対向基板１２０とは、画像表示領域１１０ａの周囲に位置するシール領域に設けられたシール材１５２により相互に接着されている。シール材１５２は、両基板を貼り合わせるために、例えば熱硬化樹脂、熱及び光硬化樹脂、光硬化樹脂、紫外線硬化樹脂等からなり、製造プロセスにおいて素子基板１１０上に塗布された後、加熱、加熱及び光照射、光照射、紫外線照射等により硬化させられたものである。
【００５６】
対向基板１２０の４隅には、上下導通材１０６が設けられており、素子基板１１０に設けられた上下導通端子と対向基板１２０に設けられた対向電極１２１との間で電気的な導通をとる。
【００５７】
図３及び図４において、シール材１５２が配置されたシール領域の内側に並行して、画像表示領域１１０ａを規定する遮光性の額縁１５３が対向基板１２０側に設けられている。額縁１５３は素子基板１１０側に設けても良いことは言うまでもない。画像表示領域１１０ａの周辺に広がる周辺領域のうち、シール材１５２が配置されたシール領域の外側部分には、データ線駆動回路１０１及び外部回路接続端子１０２が素子基板１１０の一辺に沿って設けられており、走査線駆動回路１０４が、この一辺に隣接する２辺に沿って設けられている。更に素子基板１１０の残る一辺には、画像表示領域１１０ａの両側に設けられた走査線駆動回路１０４間をつなぐための複数の配線１０５が設けられている。
【００５８】
図４において、素子基板１１０上には、画素スイッチング用のＴＦＴや走査線、データ線等の配線が形成された後の画素電極１１９上に、配向膜が形成されている。他方、対向基板１２０上には、対向電極１２１の他、最上層部分に配向膜が形成されている。また、液晶層１５０は、例えば一種又は数種類のネマティック液晶を混合した液晶からなり、これら一対の配向膜間で、所定の配向状態をとる。
【００５９】
額縁１５３下にある素子基板１１０上の領域には、図示しないサンプリング回路が設けられている。サンプリング回路は、画像信号線上の画像信号をデータ線駆動回路１０１から供給されるサンプリング回路検査信号に応じてサンプリングして各画素のデータ線に供給するようになっている。
【００６０】
次に、このように構成された実施の形態の動作について図５のフローチャートを参照して説明する。
【００６１】
先ず、作業者は、制御部１１の図示しない入力操作部を操作して、投影検査部１２のエアシリンダ２６を動作させてステージ７を検査光路からの退避位置まで移動させる。そして、この状態で、ステージ７の凹部２０上に検査対象となる液晶パネル１００を位置決めして載置する。
【００６２】
次に、作業者は、ステージ７を光学設計部１６と投射レンズ１８との間の挿入位置まで移動させるための操作を行う。制御部１１は、この操作が行われると、ステップＳ１から処理をステップＳ２に移行して、投影検査部１２の駆動制御部２２に駆動制御信号を出力し、ステージ７を所定の挿入位置まで移動させる。これにより、ステージ７上に載置された液晶パネル１００の表示部が検査光路上の所定の位置に保持される。
【００６３】
制御部１１は、ステージ７を所定の挿入位置まで移動させると、次に、駆動制御部２２を制御してプローブユニット８を下降させる。即ち、制御部１１は、空気圧制御装置を介してエアシリンダ３４を動作させることでプローブユニット８を下降させ、当該プローブユニット８のプローブ３０を、液晶パネル１００のＦＰＣ１００-1上に配列された各電極端子に電気的に接続させる。
【００６４】
プローブユニット８の各プローブ３０をＦＰＣ１００-1上に配列された各電極端子に接続させる位置まで移動させると、駆動制御部２２は、プローブユニット８の下降が完了したことを示す状態検出信号を制御部１１に出力する。これにより、制御部１１は、プローブ３０がＦＰＣ１００-1上に配列された各電極端子に接続されたものと判定して（ステップＳ５）、表示検査を開始する。
【００６５】
即ち、制御部１１は、信号発生部１３を制御して、所定の検査信号を液晶パネル１００に出力させる。信号発生部１３は、検査の各ステップ毎に制御部１１から信号が供給され、各ステップに応じた検査信号を出力する。この検査信号はフラットケーブル３９及び信号線３１を介してプローブユニット８の各プローブ３０に供給され、ＦＰＣ１００-1上に配列された各電極端子を介して液晶パネル１００に印加される。
【００６６】
液晶パネル１００は検査信号に応じて駆動されて、入射光を映像光に変換して出射する。この映像光は、筐体２の上部のスクリーン１７上は投射され、スクリーン１７上において所定の検査画像が映出される。
【００６７】
ＣＣＤ６は、液晶パネル１００を所定の検査パターンで駆動した際のスクリーン１７上の輝度分布を撮像する。この撮像結果から液晶パネル１００上の表示欠陥（点欠陥，線欠陥，シミムラ欠陥等）を自動検出することができる。この自動検出する技術については、本件出願人による先行技術である特開平１１―１７４３９８号公報に開示されている。
【００６８】
制御部１１の制御によって、信号発生部１３は検査ステップに応じた検査信号を順次出力する（ステップＳ７）。全ての検査が終了すると、制御部１１は処理をステップＳ８からステップＳ９に移行して、信号発生部１３にリセット信号を発生させる。
【００６９】
このリセット信号はフラットケーブル３９及び信号線３１を介してプローブユニット８の各プローブ３０に供給され、ＦＰＣ１００-1上に配列された各電極端子を介して液晶パネル１００に印加される。こうして、液晶パネル１００において電荷残りが防止される。
【００７０】
制御部１１は信号発生部１３にリセット信号を出力させると、次のステップＳ１０において、プローブユニット８の上昇を駆動制御部２２に指示する。駆動制御部２２は、空気圧制御装置を介してエアシリンダ３４を動作させることでプローブユニット８を上昇させ、プローブユニット８の各プローブ３０を、液晶パネル１００のＦＰＣ１００-1上に配列された各電極端子から離間させて非接触状態にする。
【００７１】
このように、本実施の形態においては、表示検査は、ステージの移動から、プローブ下降、各検査ステップ、リセット信号の発生及びプローブの上昇までの一連の工程が制御部によって管理されており、タクト管理が可能となる。また、制御部は、検査の各ステップの終了後にリセット信号を発生させた後、プローブを電極端子から離間させている。従って、検査後に液晶パネルに電荷が残留することはなく、焼き付き等の不具合が生じることを確実に防止することができる。
【００７２】
なお、制御部１１は、コンピュータによって構成することができ、図５に示す制御部１１の各動作は、プログラムによってコンピュータの動作を規定することによって、実現可能である。
【００７３】
また、本実施の形態は、光学系が鉛直方向に配置された投影検査部を採用した例を説明したが、光学系の配置は特にいずれの方向であってもよい。また、本実施の形態においては、ＣＣＤを採用して検査を自動に行う例を示したが、目視検査にも同様に適用可能である。また、各検査ステップは、制御部によって自動的に進むものとして説明したが、作業者の操作によって各検査ステップを一時停止させるように構成することも可能である。
【００７４】
また、上記実施の形態では、電気光学装置として、液晶パネルのような液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、電子放出素子を用いた装置（Field Emission Display 及びSurface-Conduction Electron-Emitter Display等）、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置の検査装置に適用できる。
【００７５】
例えば、ＬＣＯＳ等の反射型の電気光学パネルに応用する場合には、ランプや光学設計部をハーフミラー等と共にステージとスクリーンの間に好適に配置することにより本実施の形態を適用することが可能である。
【図面の簡単な説明】
【００７６】
【図１】本発明の一実施の形態に係る電気光学装置の検査装置のブロック図。
【図２】図１中の投影検査部１２の具体的な構成を示す概略構成図。
【図３】液晶パネルを示すもので、素子基板をその上に形成された各構成要素と共に対向基板の側から見た平面図。
【図４】図３のＨ−Ｈ’断面図。
【図５】実施の形態の動作を説明するためのフローチャート。
【符号の説明】
【００７７】
７…ステージ、８…プローブユニット、１１…制御部、１２…投影検査部、１３…信号発生部、１７…スクリーン、２２…駆動制御部、３０…プローブ、３３…プローブ動作機構部、１００…液晶パネル、１００-1…ＦＰＣ。
【図１】
2008209564.tif 000003
【図２】
2008209564.tif 000004
【図３】
2008209564.tif 000005
【図４】
2008209564.tif 000006
【図５】
2008209564.tif 000007